(57)【要約】      （修正有）【課題】給液用タンクから固定側タンクに給液する際に作業者の負担を軽減した上で、迅速  且つ確実に給液する。【解決手段】燃料タンクＴ１に着脱可能に取付けられる支持部材２と、当該支持部材２に対し、燃料タンクＴ１における給油口Ｔ１２に対して近接・離間するように回動可能に軸支される給油用タンク保持部材３とを含む。【選択図】図１
0003121533.tif 000002
【実用新案登録請求の範囲】
【請求項１】
固定側タンクに着脱可能に取付けられる支持部材と、当該支持部材に対し、固定側タンクにおける給液口に対して近接・離間するように回動可能に軸支される給液用タンク保持部材とを含み、
給液用タンク保持部材を、当該給油用タンク保持部材に給液用タンクを保持した状態で、前記給液口に対して近接方向に回動させることによって、給液用タンク内の液体を固定側タンクに給液するようにしている給液用タンク保持具。
【請求項２】
前記支持部材と給液用タンク保持部材とが分離可能である請求項１に記載の給液用タンク保持具。
【請求項３】
前記支持部材は、固定側タンクの上面に掛止する掛止板と、当該掛止板に対して上下方向に折り畳み可能に垂設される垂下板と、当該垂下板の左右縁部に垂下板に対して左右方向に開閉状に回動するように軸支され、開いた状態で前記液受け板の左右縁部に壁面及び給液用タンク保持部材を分離可能、且つ回動可能に支持する軸受部を構成する壁板とからなる請求項２に記載の給液用タンク保持具。
【請求項４】
前記給液用タンク保持部材は、前記軸受部に着脱可能に支持される軸部を有した背板と、当該背板の下端縁に、背板に対して上下方向に開閉状に回動するように軸支され、開いた状態で背板に対して略水平状に保持されるタンク保持板とからなる請求項２に記載の給液用タンク保持具。
【請求項５】
前記支持部材と給液用タンク保持部材とに亘って、給油用タンク保持部材の給油口に対して近接する回動に対して付勢する付勢部材が着脱可能又は着脱不能に配設されている請求項１乃至請求項４何れか１項に記載の給液用タンク保持具。
【考案の詳細な説明】
【技術分野】
【０００１】
本考案は、各種液体を貯液した給液用タンクを保持するとともに、当該給液用タンクの固定側タンクに対して給液する動作を補助する給液用タンク保持具に関する。
【背景技術】
【０００２】
本考案に係る給液用タンクは、例えば、ガソリンや軽油あるいは灯油等の液体燃料用を貯液するとともに、これらの液体用燃料タンク（固定側タンク）に給油するために用いるものが周知であり、この液体燃料に用いられるもの以外にも、各種液体を貯液するとともに、各種液体を貯液する固定側タンク内に給液するために用いられている。
【考案の開示】
【考案が解決しようとする課題】
【０００３】
ところで、前記給液用タンクから固定側タンクに給液する場合、通常では、給液用タンクの出液口に給液ノズルを取り付けて、給液ノズルを固定側タンクの給液口に挿し込み、給液用タンクを持ち上げて徐々に傾けながら給液したり、手動のポンプを使用して給液したりしている。
しかしながら、給液用タンクを持ち上げて給液を行う場合、給液ノズルを抜けないように当該給液ノズルを片手で持ち、他方の手で給液用タンクを抱えるようにして徐々に傾ける操作をするには、液体が貯液されたタンクの重量が作業者の負担となり、手動のポンプで給液する場合には、給液に時間がかかる上に、手動ポンプを操作する作業者に対する負担も大きいものであった。
尚、出願人の知り得る範囲において、給液用タンクから固定側タンクに給液する際に作業者の負担を軽減する考案についての先行技術文献情報については存在しない。
【０００４】
そこで本考案は、給液用タンクから固定側タンクに給液する際に作業者の負担を軽減した上で、迅速  且つ確実に給液することを課題とし、この課題を解決した給液用タンク保持具の提供を目的とする。
【課題を解決するための手段】
【０００５】
本考案が上記目的を達成するために採用した第１考案は、固定側タンクに着脱可能に取付けられる支持部材と、当該支持部材に対し、固定側タンクにおける給液口に対して近接・離間するように回動可能に軸支される給液用タンク保持部材とを含み、この給液用タンク保持部材を、当該給油用タンク保持部材に給液用タンクを保持した状態で、前記給液口に対して近接方向に回動させることによって、給液用タンク内の液体を固定側タンクに給液するようにしている給液用タンク保持具にした。
【０００６】
又、給液用タンク保持具の仕舞性を向上させるという観点から、第２考案では、前記支持部材と給液用タンク保持部材とが分離可能な給液用タンク保持具にした。
【０００７】
又、第２考案における給液用タンク保持具の仕舞性をより向上させるという観点から、第３考案では、前記支持部材は、固定側タンクの上面に掛止する掛止板と、当該掛止板に対して垂下状に連結されるとともに、この掛止板が上下方向に折り畳み可能に回動するように軸支する垂下板と、当該垂下板の左右縁部に垂下板に対して左右方向に開閉状に回動するように軸支され、開いた状態で前記液受け板の左右縁部に壁面及び給液用タンク保持部材を分離可能、且つ回動可能に支持する軸受部を構成する壁板とからなる給液用タンク保持具にした。
更に、第４考案では、前記給液用タンク保持部材は、前記軸受部に着脱可能に支持される軸部を有した背板と、当該背板の下端縁に、背板に対して上下方向に開閉状に回動するように軸支され、開いた状態で背板に対して略水平状に保持されるタンク保持板とからなる給液用タンク保持具にした。
【０００８】
又、給液用タンクから固定側タンクに給液する際の作業者に対する負担をより軽減するという観点から、第５考案では、前記支持部材と給液用タンク保持部材とに亘って、給油用タンク保持部材の給油口に対して近接する回動に対して付勢する付勢部材が着脱可能に配設されている給液用タンク保持具にした。
【考案の効果】
【０００９】
本考案の給液用タンク保持具によれば、下記の優れた効果が期待できる。
第１考案によれば、給液用タンクの固定側タンクへの給液動作において、給液用タンクを給液用タンク保持部材に保持した状態で、当該給液用タンク保持部材を固定側タンクに近接する方向へ回動することにより、給液用タンクの固定用タンクに対する給液動作とすることができる。
したがって、給液作業者が片手で給液ノズルを持ち、他方の手で給液用タンクを抱えて当該給液用タンクを徐々に傾けながらの給液や手動ポンプを操作して給液するような作業者の負担が大きい作業をすることなく、給液用タンクから固定側タンクに給液する際に作業者の負担を軽減した上で、迅速  且つ確実に給液することができる。
【００１０】
又、第２考案によれば、支持部材と給液用タンク保持部材とに分離可能な給液用タンク保持具であるので、その仕舞性が良好である。
又、第３考案によれば、支持部材が折り畳み可能な給液用タンク保持具であり、第４考案によれば給液用タンク保持部材が折り畳み可能な給液用タンク保持具であるので、その仕舞性をより良好にすることができる。
【００１１】
又、第５考案によれば、付勢部材の付勢力により、給油用タンク保持部材の給油口に対して近接する回動を補助することができるので、給液用タンクから固定側タンクに給液する際に作業者の負担をより軽減することができる。
【考案を実施するための最良の形態】
【００１２】
以下、本考案の給液用タンク保持具を実施するための最良の形態を図面に基づいて説明する。
尚、本形態では、給液用タンクを大型自動車に固定された固定側タンク(以下、燃料タンクという)に燃料を給油する給油用タンクとして説明し、以下、給液を給油と変えて説明する。
【００１３】
本形態の給油用タンク保持具（以下「保持具」と略称する）１は、燃料タンクＴ１の上面に着脱可能に取付けられる支持部材２と、給油用タンクＴ２を保持し、前記支持部材２に対し、給油用タンクＴ２の給油口Ｔ２１を燃料タンクＴ１における給油口Ｔ１２に対して近接（以下、給油方向という）・離間（以下、非給油方向という）するように回動可能に軸支される給油用タンク保持部材３と、これら支持部材２と給油用タンク保持部材３とに亘って架設され、給液用タンク保持部材３の近接方向の回動を付勢する付勢部材である収縮シリンダー４とから構成されており、これら前記支持部材２と給油用タンク保持部材３と収縮シリンダー４とは、分離可能に連結されている。
【００１４】
前記支持部材２は、燃料タンクＴ１の上面に掛止する掛止板２１と、当該掛止板２１に対して垂下されるように、且つ上下方向に折り畳み可能に回動するような蝶板等の回動支持部材Ａ１により連結される垂下板２２と、当該垂下板２２の左右縁部に、垂下板２２に対して左右方向に開閉状に回動するような蝶板等の回動支持部材Ａ２により連結され、開いた状態で垂下板の左右縁部に給油用タンク保持部材３を分離可能、且つ回動可能に支持する軸受部２３Ａを構成する壁板２３とから構成されている。
【００１５】
前記掛止板２１は、略平板状を呈し、その先端部に燃料タンクＴ１を固定するベルト部Ｔ１１に引っ掛けて掛止板２１を燃料タンクＴ１の上面に掛止するためのフック部２１Ａが、側縁部には取手２１Ｂが備えられている。
前記フック部２１Ａは、掛止板２１の先端部を下方へ図において側面略Ｕ字状に折り曲げて形成され、その側面略Ｕ字状の先端縁を、前記ベルト部Ｔ１１と燃料タンクＴ１の上面との隙間にその前方(図において左側)から挿し込むことによりベルト部Ｔ１１に対して引っ掛けられ、これにより掛止板２１が燃料タンクＴ１の上面に掛止される。
【００１６】
前記垂下板２２は、略平板状を呈し、その中央部分に貫通口２２Ａが開口されており、当該貫通口２２Ａから燃料タンクＴ１の給油口Ｔ１２を貫通状に露出させ、給油用タンクＴ２の給油口Ｔ２１に取り付けられる給油ノズルＴ２２を給油口Ｔ１２に挿し込めるようにしている。
【００１７】
前記壁板２３は、略平板状を呈し、その上端縁の先端側(連結側とは逆側)に前記軸受部２３Ａが側面略Ｕ字状に切欠き形成されている。
【００１８】
前記回動支持部材Ａ１は、垂下板２２が掛止板２１に対して側面直角方向に垂下される状態(以下、掛止状態という)から、掛止板２２が垂下板２２に対して折り畳まれる状態(以下、収納状態という)までの範囲で回動するように規制されているものである。
又、前記回動支持部材Ａ２は、壁板２３が垂下板２２に対して平面直角方向に開いた状態(以下、軸支状態という)から、壁板２３が垂下板２２に対して折り畳まれる状態(以下、収納状態という)までの範囲で回動するように規制されているものである。
【００１９】
このように構成された支持部材２は、図３〜図５に示すように、掛止板２１と壁板２３を垂下板２２に対する収納状態から拡開するように回動して掛止状態及び軸支状態にし、この掛止状態及び軸支状態から折り畳むように回動して前記収納状態にすることができる。
【００２０】
前記給油用タンク保持部材３は、前記軸受部２３Ａに着脱可能に支持される軸部３１Ａを有した背板３１と、当該背板３１の下端縁部に、背板３１に対して上下方向に開閉状に回動するような蝶板等の回動支持部材Ａ３により連結され、開いた状態で背板３１に対して側面略直角状(以下、タンク保持状態という)に保持されるタンク保持板３２と、これら背板３１とタンク保持板３２とに亘って背板３１に対してタンク保持板３２をタンク保持状態に保持するための保持杆３３とから構成されている。
【００２１】
前記背板３１は、略平板状を呈し、上端縁部に当該上端縁部と平行状に前記軸部３１Ａが固定され、左右縁部を折り曲げ形成したリブ状部３１Ｂに前記保持杆３３の一端部を回動可能に軸支して構成されている。
又、符号３１Ｃは、前記軸部３１Ａを前記軸受部２３Ａで支持する際に、当該軸受部２３Ａを形成した際に壁板２３の先端側に形成される突起部２３Ｂが貫通する位置決め用の貫通口であり、背板３１における上端縁部に形成された切り欠き部３１Ｃ'と軸部３１Ａとで当該切り欠き部３１Ｃ'の開放部を通過するように固定された軸部３１Ａとで構成されている。
【００２２】
前記タンク保持板３２は、略平板状を呈し、左右縁部を折り曲げ形成したリブ状部３２Ａと、上端縁部に設けられた取手部３２Ｂとで構成され、前記保持杆３３の他方がリブ状部３２Ａに回動可能に軸支されている。
【００２３】
保持杆３３は、略中央部において互いに折り曲げ可能に軸支された杆部３３Ａ,３３Ｂとから構成され、折り曲げた際には杆部３３Ａ,３３Ｂが重なり合って、保持杆３３の全長が半分になるようにされている。
又、保持杆３３は、前記タンク保持板３２が折り畳まれた状態(以下、収納状態という)において、杆部３３Ａ,３３Ｂが重なり合い、タンク保持状態において杆部３３Ａ,３３Ｂが直列することでこのタンク保持状態を保持する。
【００２４】
収縮シリンダー４は、一端が前記掛止板２１の側部縁に設けられた支持部２１Ｃにボルト・ナット等の締め部材により着脱可能、且つ回動可能に支持され、他端がタンク保持板３２に設けられた支持部３２Ｃにボルト・ナット等の締め部材により着脱可能、且つ回動可能に支持されている。
又、収縮シリンダー４は、常に収縮する方向に付勢されており、前記タンク保持部材３の給油方向の回動に付勢力を与えるようにしている。
【００２５】
このように構成された給油用タンク保持部材３は、図６及び図７に示すように、タンク保持板３２を背板３１に対する収納状態から拡開するように回動してタンク保持状態にし、このタンク保持状態からタンク保持板３２を折り畳むように回動して前記収納状態にすることができる。
又、給油用タンク保持部材３を前記支持部材２に連結する際には、前記軸部３１Ａを前記軸受部２３Ａに対して嵌合することで連結され、このとき、前記突起部２３Ｂを前記貫通口３１Ｃ貫通させて貫通口３１Ｃの一部を構成する軸部３１Ａを軸受部２３Ａに嵌合することにより、前記支持部材２に対して給油用タンク保持部材３が位置決めされ、前記軸受部２３Ａを回動中心に給油用タンク保持部材３を回動可能に連結できる。
又、支持部材２に給油用タンク保持部材３を連結するとともに、当該給油用タンク保持部材３を給油方向に回動させた状態として、前記収縮シリンダー４を取り付けることによって、保持具１が構成される。
【００２６】
以上例示した本形態の保持具１によれば、前記のように支持部材２と給油用タンク保持部材３とを連結するとともに、これら支持部材２と給油用タンク保持部材３とに亘って収縮シリンダー４を取り付けて保持具１を構成する。
そして、前記フック部２１Ａを前記ベルト部Ｔ１１に対して引っ掛けることによって、保持具１が燃料タンクＴ１に取り付けられる。
保持具１を燃料タンクＴ１に取り付けた状態で、給油用タンク保持部材３を収縮シリンダーの付勢力に抗して非給油方向に回動して、給油用タンク保持部材３に給油用タンクＴ２を載置するとともに、当該給油用タンクＴ２の給油口Ｔ２１に取り付けた給油用ノズルＴ２２を燃料タンクＴ１の給油口Ｔ１２に挿し込み、給油用タンク保持部材３を給油方向に収縮シリンダーの付勢力を補助力として回動することによって、燃料タンクＴ１への給油を行うことができる。
給油終了後には、給油用タンク保持部材３を非給油方向に回動し、給油用タンクＴ２を取り外すとともに、保持具１を燃料タンクＴ１から取り外す。
取り外した保持具１は、収縮シリンダー４を取り外し、支持部材２から給油用タンク保持部材３を取り外し、これら支持部材２と給油用タンク保持部材３を前記した方法によって折り畳んで収納状態とする。
【００２７】
したがって、本形態の保持具１は、燃料タンクＴ１に掛止するとともに、給油用タンクＴ１を給油用タンク保持部材３に保持した状態で、当該給油用タンク保持部材３を給油方向へ回動することにより、燃料タンクＴ１への給油動作とすることができるので、給油用タンクＴ２から燃料タンクＴ１への給油作業に対する作業者の負担を軽減した上で、迅速  且つ確実に給油することができ、しかも仕舞性が良好な保持具１である。
【００２８】
なお、本考案は、例示した実施の形態に限定するものではなく、実用新案登録請求の範囲に記載された内容から逸脱することなく、他の構成による実施も可能である。
【図面の簡単な説明】
【００２９】
【図１】本考案に係る給油用タンク保持具の斜視図で給油状態を示す。
【図２】図１の側面図。
【図３】支持部材の斜視図。
【図４】支持部材の収納途中状態を示す。
【図５】支持部材の収納状態を示す。
【図６】タンク保持部材の斜視図。
【図７】タンク保持部材の収納状態を示す斜視図。
【符号の説明】
【００３０】
１：保持具（給油用タンク保持具）
Ｔ１：燃料タンク（固定側タンク）
２：支持部材
Ｔ２：給油用タンク（給液用タンク）
３：給油用タンク保持部材（給液用タンク保持部材）
４：収縮シリンダー（付勢部材）
２１：掛止板
２２：垂下板
２３Ａ：軸受部
２３：壁板
３１Ａ：軸部
３１：背板
３２：タンク保持板
４：収縮シリンダー
【図１】
0003121533.tif 000003
【図２】
0003121533.tif 000004
【図３】
0003121533.tif 000005
【図４】
0003121533.tif 000006
【図５】
0003121533.tif 000007
【図６】
0003121533.tif 000008
【図７】
0003121533.tif 000009